(57)【要約】【課題】独立して密封された真空断熱材３１を貯湯タンク３０の周囲に複数に分割して配設することで真空断熱材３１の破損時の影響を少なくさせると共に断熱性能を保持したまま真空断熱材３１の貯湯タンク３０への配設をやりやすくすることを目的とする。【解決手段】前記貯湯タンク３０の周囲に断熱保温するように芯材部３１ａ１をラミネートフィルム３１ａ２で覆い真空密封して凸部を形成する真空断熱材３１を配設するとともに、前記真空断熱材３１は複数に分割して設けてあるので、貯湯タンク３０の周囲を真空断熱材３１で覆う時の作業性が向上するとともに、真空断熱材３１の破損時の影響度は少なくすることができる。【選択図】図３
2007212059.tif 000002
【特許請求の範囲】
【請求項１】
圧縮機、水冷媒熱交換器、空気冷媒熱交換器、減圧手段を順次接続した閉回路で冷媒を循環させる冷媒循環回路と、前記水冷媒熱交換器で加熱された温水を貯蔵する円筒状の貯湯タンクと、前記貯湯タンクに水を供給する給水管を接続する接続弁と、前記冷媒循環回路と前記貯湯タンクとを一体に収納する筺体とを備え、前記貯湯タンクの周囲に断熱保温するように芯材部をラミネートフィルムで覆い真空密封して凸部を形成する真空断熱材を配設するとともに、前記真空断熱材は複数に分割して設けたヒートポンプ給湯機。
【請求項２】
前記貯湯タンクの周囲に前記真空断熱材を複数に分割して設けるとともに、隣り合う前記真空断熱材を表裏交互になるように配設し、少なくとも一部分を前記真空断熱材の真空密封代部分が隣り合う前記真空断熱材の芯材部上に重なり合うように配設した請求項１に記載のヒートポンプ給湯機。
【請求項３】
前記真空断熱材の芯材部側面を傾斜させ隣り合う前記真空断熱材の側壁が密着しやすいようにように形成した請求項１から請求項２のいずれか１項に記載のヒートポンプ給湯機。
【請求項４】
前記貯湯タンクの周囲に前記真空断熱材を複数に分割して設けるとともに、複数に分割した前記真空断熱材を接合して一体形成する接合手段を設けた請求項１から請求項３のいずれか１項に記載のヒートポンプ給湯機。
【請求項５】
前記貯湯タンクの周囲に前記真空断熱材を複数に分割して設けるとともに、隣り合う前記真空断熱材を表裏交互になるように配設し、少なくとも一部分を前記真空断熱材の真空密封代部分が隣り合う前記真空断熱材の芯材部上に重なり合うように配設し、かつ、前記真空断熱材の重なり合う真空密封代部分と芯材部を少なくとも一部分を接着して一体形成する接着手段を設けた請求項２から請求項３のいずれか１項に記載のヒートポンプ給湯機。
【発明の詳細な説明】
【技術分野】
【０００１】
本発明は、圧縮機、水冷媒熱交換器、空気冷媒熱交換器、減圧手段を順次接続した閉回路で冷媒を循環させる冷媒循環回路と、この水冷媒熱交換器で加熱された温水を貯蔵する円筒状の貯湯タンクとを一つの筐体内に収納するヒートポンプ給湯機に関する。
【背景技術】
【０００２】
従来のヒートポンプ式給湯機は、圧縮機、水冷媒熱交換器、空気冷媒熱交換器、減圧手段を順次接続した閉回路で冷媒を循環させる冷媒循環回路と、この水冷媒熱交換器で加熱された温水を貯蔵する貯湯タンクからなる。
【０００３】
このようなヒートポンプ式給湯機は、大きな貯湯タンクを有し、昼間使用する必要分全量を夜間に沸かし高温貯蔵しておくため、貯湯タンクからの放熱損失が大きく、給湯機の大型化に伴う設置等にも多くの課題があった。
【０００４】
そこで、ヒートポンプ回路と、冷媒対水熱交換器と、貯湯タンクと、直接給湯回路と、給湯制御部と、ヒートポンプ制御部を備えたヒートポンプ式給湯機において、前記貯湯タンクの周囲に真空断熱材を設置することにより、コンパクト化及び高断熱性を達成するものが考えられた（特許文献１、特許文献２）。
【０００５】
図７は従来のヒートポンプ式給湯機の貯湯タンクの概略図である。図７において、湯温が下がるのを少しでも低減させることが出来るように、貯湯タンク５１の周りに断熱性能が良い真空断熱材５２を密着させるように設置し、真空断熱材５２の周りに冷媒対水熱交換器５３を設置することにより、貯湯タンク５１部容積さらには給湯機自体もコンパクトに出来るようになる。
【特許文献１】特開２００５−３１５４８０号公報
【特許文献２】特開２００２−２７７０５５号公報
【発明の開示】
【発明が解決しようとする課題】
【０００６】
しかしながら、貯湯タンク５１の周りに断熱性能が良い真空断熱材５２を密着させるように設置したときに、作業ミスなど何らかの理由で真空断熱材５２に１箇所でも穴が開くと、真空断熱材５２の著しく断熱保温効果が無くなり、貯湯タンク５１からの放熱損失が大きくなり、ヒートポンプ式給湯機の能力低下につながるという問題がある。特に貯湯タンク５１やその周囲には金属製や樹脂製の部品等があり、また配管等の接続も必要なことから、貯湯タンク５１に一つの真空断熱材５２で周囲を覆うようにすると作業性が悪くなるとともに、破損の心配が十分に考えられた。
【０００７】
そこで本発明は、独立して密封された真空断熱材を貯湯タンクの周囲に複数に分割して配設することで真空断熱材の破損時の影響を少なくさせると共に断熱性能を保持したまま真空断熱材の貯湯タンクへの配設をやりやすくすることを目的とする。
【課題を解決するための手段】
【０００８】
前記従来の課題を解決するために、本発明のヒートポンプ給湯機は、圧縮機、水冷媒熱交換器、空気冷媒熱交換器、減圧手段を順次接続した閉回路で冷媒を循環させる冷媒循環回路と、前記水冷媒熱交換器で加熱された温水を貯蔵する円筒状の貯湯タンクと、前記貯湯タンクに水を供給する給水管を接続する接続弁と、前記冷媒循環回路と前記貯湯タンクとを一体に収納する筺体とを備え、前記貯湯タンクの周囲に断熱保温するように芯材部を
ラミネートフィルムで覆い真空密封して凸部を形成する真空断熱材を配設するとともに、前記真空断熱材は複数に分割して設けた構成としてある。
【０００９】
上記した構成において、貯湯タンクの周囲に断熱保温するように芯材部をラミネートフィルムで覆い真空密封して凸部を形成する真空断熱材を配設するとともに、真空断熱材は複数に分割して設けてあるので、何らかの原因で真空断熱材に穴等が明き破損してもその部分のみの真空断熱材の断熱性能が下がるのみで、他の部分の断熱性能は下がらないので、その影響度は少なくなる。また、真空断熱材を複数に分割して配設することができるので、貯湯タンクに真空断熱材で周囲を覆うようにするときの作業性が向上し、真空断熱材の破損の危険性も減少させることができる。
【発明の効果】
【００１０】
本発明のヒートポンプ給湯機は、貯湯タンクの周囲に断熱保温するように芯材部をラミネートフィルムで覆い真空密封して凸部を形成する真空断熱材を配設するとともに、真空断熱材は複数に分割して設けてあるので、貯湯タンクの周囲を真空断熱材で覆う時の作業性が向上するとともに、真空断熱材の破損時の影響度は少なくすることができる。
【発明を実施するための最良の形態】
【００１１】
第１の発明は、圧縮機、水冷媒熱交換器、空気冷媒熱交換器、減圧手段を順次接続した閉回路で冷媒を循環させる冷媒循環回路と、前記水冷媒熱交換器で加熱された温水を貯蔵する円筒状の貯湯タンクと、前記貯湯タンクに水を供給する給水管を接続する接続弁と、前記冷媒循環回路と前記貯湯タンクとを一体に収納する筺体とを備え、前記貯湯タンクの周囲に断熱保温するように芯材部をラミネートフィルムで覆い真空密封して凸部を形成する真空断熱材を配設するとともに、前記真空断熱材は複数に分割して設けた構成としてある。
【００１２】
そして、前記貯湯タンクの周囲に断熱保温するように芯材部をラミネートフィルムで覆い真空密封して凸部を形成する真空断熱材を配設するとともに、前記真空断熱材は複数に分割して設けてあるので、何らかの原因で真空断熱材に穴等が明き破損してもその部分のみの真空断熱材の断熱性能が下がるのみで、他の部分の断熱性能は下がらないので、その影響度は少なくなる。また、真空断熱材を複数に分割して配設することができるので、貯湯タンクに真空断熱材で周囲を覆うようにするときの作業性が向上し、真空断熱材の破損の危険性も減少させることができる。
【００１３】
第２の発明は、特に、第１の発明の貯湯タンクの周囲に前記真空断熱材を複数に分割して設けるとともに、隣り合う前記真空断熱材を表裏交互になるように配設し、少なくとも一部分を前記真空断熱材の真空密封代部分が隣り合う前記真空断熱材の芯材部上に重なり合うように配設した構成としてある。
【００１４】
そして、前記貯湯タンクの周囲に前記真空断熱材を複数に分割して設けるとともに、隣り合う前記真空断熱材を表裏交互になるように配設してあるので、前記真空断熱材の真空密封代部分が隣り合う前記真空断熱材の芯材部上に重なり合うように配設させることができ、簡単な構成で、隣り合う前記真空断熱材のラミネートフィルムで覆った芯材部で形成される凸部の側面を密着させることが容易であり、真空断熱材の芯材部の被覆率を高くして、断熱効果が高い真空断熱材が得られるようになる。
【００１５】
第３の発明は、特に、第１〜第２のいずれか１つの発明の真空断熱材の芯材部側面を傾斜させ隣り合う前記真空断熱材の側壁が密着しやすいようにように形成した構成としてある。
【００１６】
そして、前記真空断熱材の芯材部側面を傾斜させ隣り合う真空断熱材の側壁が密着しやすいようにように形成してあるので、隣り合う真空断熱材の芯材部の凸部を形成する側壁の傾斜面をガイド面として、押しつけることで傾斜面全体を密着することができようになり、密着面が拡げることができるので、向かい合う真空断熱材の空隙が少なくすることができ、より断熱効果を高くすることができるようになる。また、多少隙間を生じたとしても、向かい合う傾斜面は、重なり合う部分があるため、補完でき、より断熱効果を維持することができるようになる。
【００１７】
第４の発明は、特に、第１〜第３のいずれか１つの発明の貯湯タンクの周囲に前記真空断熱材を複数に分割して設けるとともに、複数に分割した前記真空断熱材を接合して一体形成する接合手段を設けた構成としてある。
【００１８】
そして、貯湯タンクの周囲に前記真空断熱材を複数に分割して設けるとともに、複数に分割した前記真空断熱材を接合して一体形成する接合手段を設けた構成としてあるので、接合手段で複数に分割した前記真空断熱材を一体とすることができ、隣り合う真空断熱材の側壁が確実に密着させられるとともに、損傷を受けやすい真空断熱材の接合部を接合手段で保護することができ、より、貯湯タンクに真空断熱材で周囲を覆うようにするときの作業性が向上し、真空断熱材の破損の危険性も減少させることができる。
【００１９】
第５の発明は、特に、第２〜第３のいずれか１つの発明の貯湯タンクの周囲に前記真空断熱材を複数に分割して設けるとともに、隣り合う前記真空断熱材を表裏交互になるように配設し、少なくとも一部分を前記真空断熱材の真空密封代部分が隣り合う前記真空断熱材の芯材部上に重なり合うように配設し、かつ、前記真空断熱材の重なり合う真空密封代部分と芯材部を少なくとも一部分を接着して一体形成する接着手段を設けた構成としてある。
【００２０】
そして、接着手段で、真空断熱材の重なり合う真空密封代部分と芯材部を少なくとも一部分を接着してあるので、接着手段で複数に分割した前記真空断熱材を一体とすることができ、隣り合う真空断熱材の側壁が確実に密着させられるとともに、複数に分割した真空断熱材を一体形成するための接合部材等が不要となり、簡単な構成とすることができ、安価に構成することができる。
【００２１】
以下、本発明の実施の形態について、図面を参照しながら説明する。なお、この実施の形態によって本発明が限定されるものではない。
【００２２】
（実施の形態１）
以下本発明の一実施例によるヒートポンプ給湯機について説明する。
【００２３】
図１は、本実施例によるヒートポンプ給湯機の概略構成を示す斜視図、図２は同ヒートポンプ給湯機の内部配置を示す構成図、図３は同ヒートポンプ給湯機の貯湯タンクの周囲へ真空断熱材を配設した状態を示す貯湯タンクの外観図、図４は同真空断熱材を配設した要部縦断面図、図５は同真空断熱材を配設した要部横断面図である。
【００２４】
まず、特に図１及び図２を用いて全体構成について説明する。
【００２５】
本実施例によるヒートポンプ給湯機は、立方形状からなる筐体１０内部に、冷媒循環回路２０と貯湯タンク３０とを有している。
【００２６】
筐体１０内部は、仕切り板１１によって左右方向に２つの空間が形成され、一方の空間に冷媒循環回路２０が配置され、他方の空間に貯湯タンク３０が配置されていて、この貯
湯タンク３０の周囲には、断熱保温して湯温が下がるのを少しでも低減させることが出来るように、貯湯タンクの周囲に複数に分割した真空断熱材３１ａ、３１ｂ、３１ｃ、３１ｄ、３１ｅ、３１ｆ、３１ｇ、３１ｈ、３１ｉを配設してあり、これは例えば図４に示すような芯材部３１ａ２をラミネートフィルム３１ａ１で覆い真空密封して凸部を形成するように構成してある
ここで、図３、図４、図５に示すように、貯湯タンク３０の周囲に複数の真空断熱材３１ａ、３１ｂ、３１ｃ、３１ｄ、３１ｅ、３１ｆ、３１ｇ、３１ｈ、３１ｉを分割して配設した真空断熱材３１は、隣り合う真空断熱材３１ａ、３１ｂ、３１ｃおよび真空断熱材３１ｄ、３１ｅ、３１ｆそして真空断熱材３１ｇ、３１ｈ、３１ｉを表裏交互になるように配設し、真空断熱材３１の真空密封代部分のラミネートフィルム３１ｂ１が隣り合う前記真空断熱材３１ａの芯材部３１ａ２上に重なり合うように配設し、かつ、前記真空断熱材３１ｂの重なり合う真空密封代部分のラミネートフィルム３１ｂ１と芯材部３１ａ２を両面テープ製の接着手段３７で接着して一体形成してある。
【００２７】
冷媒循環回路２０は、圧縮機２１、水冷媒熱交換器２２、空気冷媒熱交換器２３、減圧手段（図示せず）を順次接続し、冷媒を循環させる閉回路で構成されている。なお、この冷媒としては二酸化炭素冷媒を用いるものが好ましい。
【００２８】
そして圧縮機２１及び水冷媒熱交換器２２は、支持板１２上に設置されている。空気冷媒熱交換器２３は、筐体１０の一方の空間の後方面及び側面を覆うように平面視で略Ｌ字状に配置されている。また、筐体１０の一方の空間には、複数のファン２４、２５が配置されている。これらのファン２４、２５によって、空気冷媒熱交換器２３での熱交換を行う。
【００２９】
また、貯湯タンク３０の前方下部分に、貯湯タンク３０に水を供給する給水管３２、貯湯タンク３０のお湯を外部に導出する給湯管３３、風呂追い炊き用給湯管３４、及び風呂追い炊き用給水管３５をそれぞれ接続する接続弁３２Ａ、３３Ａ、３４Ａ、３５Ａを配置している。貯湯タンク３０の前方下部分に位置する支持板１２は、他の面よりも高い位置に設けることで、貯湯タンク３０の前方下部分には、接続弁３２Ａ、３３Ａ、３４Ａ、３５Ａが配置される空間を形成している。なお、図１においては、これらの接続弁３２Ａ、３３Ａ、３４Ａ、３５Ａを省略している。
【００３０】
以上のように本実施例によれば、貯湯タンク３０の周囲に断熱保温するように例えば芯材部３１ａ２をラミネートフィルム３１ａ１で覆い真空密封して凸部を形成する真空断熱材３１を配設するとともに、前記真空断熱材３１は複数に真空断熱材３１ａ、３１ｂ、３１ｃ、３１ｄ、３１ｅ、３１ｆ、３１ｇ、３１ｈ、３１ｉのように分割して設けてあるので、何らかの原因で真空断熱材３１に穴等が明き破損してもその部分のみの真空断熱材３１の断熱性能が下がるのみで、他の部分の断熱性能は下がらないので、その影響度は少なくなる。また、真空断熱材３１を複数に分割して配設することができるので、真空断熱材３１の一つ一つの大きさがあまり大きくなくなり、貯湯タンク３０に真空断熱材３１で周囲を覆うようにするときの作業性が向上し、真空断熱材３１の破損の危険性も減少させることができる。
【００３１】
また、隣り合う前記真空断熱材３１ａ、３１ｂ、３１ｃおよび真空断熱材３１ｄ、３１ｅ、３１ｆそして真空断熱材３１ｇ、３１ｈ、３１ｉを表裏交互になるように配設してあるので、例えば図５に示すように真空断熱材３１ｂの真空密封代部分のラミネートフィルム３１ｂ１が隣り合う前記真空断熱材３１ａの芯材部３１ａ２上に重なり合うように配設させることができ、簡単な構成で、隣り合う前記真空断熱材３１ｂのラミネートフィルム３１ｂ１で覆った芯材部３１ａ２で形成される凸部の側面を密着させることが容易であり、真空断熱材３１の芯材部３１ａ２、３１ｂ２の被覆率を高くして、断熱効果が高い真空
断熱材３１が得られるようになる。
【００３２】
さらに、前記真空断熱材３１の芯材部３１ａ２側面を傾斜させ隣り合う真空断熱材３１の側壁が密着しやすいようにように形成してあるので、隣り合う真空断熱材３１ａ、３１ｂの芯材部３１ａ２の凸部を形成する側壁の傾斜面をガイド面として、押しつけることで芯材部３１ａｂ２の傾斜面全体を密着させることができので、密着面が拡げることができるようになり、向かい合う真空断熱材３１ａ、３１ｂの空隙が少なくすることができ、より断熱効果を高くすることができるようになる。また、多少隙間を生じたとしても、向かい合う傾斜面は、重なり合う部分があるため、補完でき、より断熱効果を維持することができるようになる。
【００３３】
そして、両面テープ製の接着手段３７で、真空断熱材３１の真空密封代部分のラミネートフィルム３１ｂ１と隣り合う前記真空断熱材３１ａの芯材部３１ａ２上に重なり合う部分を接着してあるので、接着手段３７で複数に分割した前記真空断熱材３１を一体とすることができ、隣り合う真空断熱材３１ａ、３１ｂの側壁が確実に密着させられるとともに、複数に分割した真空断熱材３１を一体形成するための接合部材等が不要となり、簡単な構成とすることができ、安価に構成することができる。
【００３４】
なお、本実施の形態では、接着手段３７を両面テープ製としたが、これは、瞬間接着剤やホットメルト等の接着剤でも良く、その他各部の構成も本発明の目的を達成する範囲であれば、その構成はどのようなものであってよい。
【００３５】
（実施の形態２）
図６は、本発明の実施の形態２におけるヒートポンプ給湯機の貯湯タンク３０の周囲へ真空断熱材３１を接合して一体形成した状態を示す要部断面図である。なお、本実施の形態は、貯湯タンク３０の周囲に配設する真空断熱材３１の構成が実施の形態１の発明と異なるだけで、同一の番号を付与し、異なる構成についてのみ説明を行う。
【００３６】
図６において、前記貯湯タンク３０の周囲に前記真空断熱材３１を複数の真空断熱材３１ａ、３１ｂ、３１ｃ、３１ｄ、３１ｅ、３１ｆ、３１ｇ、３１ｈ、３１ｉを分割して設けるとともに、隣り合う真空断熱材３１の接合部分に、その断面がＨ型の接合手段３８を設け、Ｈ型の接合手段３８の溝部分に真空断熱材３１の真空密封代部分を折り返して挿入し、複数の真空断熱材３１を接合して一体形成するようにしてある。
【００３７】
そして、真空断熱材３１の接合部分に、その断面がＨ型の接合手段３８を設け、Ｈ型の接合手段３８の溝部分に真空断熱材３１の真空密封代部分のラミネートフィルム３１ｂ１を折り返して挿入し、複数の真空断熱材３１を接合して一体形成するようにしてあるので、接合手段３８で複数に分割した前記真空断熱材３１を一体とすることができ、隣り合う真空断熱材３１の側壁が確実に密着させられるとともに、損傷を受けやすい真空断熱材３１の接合部を接合手段３８で保護することができ、より、貯湯タンク３０に真空断熱材３１で周囲を覆うようにするときの作業性が向上し、真空断熱材３１の破損の危険性も減少させることができる。
【００３８】
なお、本実施の形態では、Ｈ型の接合手段３８を樹脂製の成型品であれば、Ｈ型の接合手段３８の溝部分に真空断熱材３１の真空密封代部分のラミネートフィルム３１ｂ１を折り返して挿入時に、真空断熱材３１を損傷しにくくなると共に、このＨ型の接合手段３８に貯湯タンク３０への固定手段を設けると、より貯湯タンク３０に真空断熱材３１で周囲を覆い固定するときの作業性が向上し、真空断熱材３１の破損の危険性も減少させることができる。
【産業上の利用可能性】
【００３９】
本発明は、風呂への給湯、沸き上げ機能を備えたヒートポンプ給湯機の他、暖房、乾燥機能を備えたヒートポンプ給湯機として利用することができる。
【図面の簡単な説明】
【００４０】
【図１】実施の形態１におけるヒートポンプ給湯機の斜視図
【図２】同ヒートポンプ給湯機の構成図
【図３】同ヒートポンプ給湯機の貯湯タンクの外観図
【図４】同ヒートポンプ給湯機の貯湯タンクへ真空断熱材を配設した要部縦断面図
【図５】同ヒートポンプ給湯機の貯湯タンクへ真空断熱材を配設した要部横断面図
【図６】本発明の実施の形態２におけるヒートポンプ給湯機の要部横断面図
【図７】従来のヒートポンプ給湯機の概略図
【符号の説明】
【００４１】
１０  筺体
２０  冷媒循環回路
２１  圧縮機
２２  水冷媒熱交換器
２３  空気冷媒熱交換器
３０  貯湯タンク
３１  真空断熱材
３１ａ、３１ｂ、３１ｃ    真空断熱材（上段）
３１ｄ、３１ｅ、３１ｆ    真空断熱材（中段）
３１ｇ、３１ｈ、３１ｉ  真空断熱材（下段）
３１ａ１、３１ｂ１、３１ｃ１  芯材部
３１ａ２、３１ｂ２、３１ｃ２    ラミネートフィルム
３２  給水管
３２Ａ、３３Ａ、３４Ａ、３５Ａ  接続弁
３８  接合手段
３７    接着手段
【図１】
2007212059.tif 000003
【図２】
2007212059.tif 000004
【図３】
2007212059.tif 000005
【図４】
2007212059.tif 000006
【図５】
2007212059.tif 000007
【図６】
2007212059.tif 000008
【図７】
2007212059.tif 000009